(57)【要約】【課題】  要介護者等が便器から転倒するのを防止する転倒防止具として、既存の通常のトイレでも簡単に適用できるようにし、また、転倒防止効果の高い軽量の転倒防止具を安価に提供する。【解決手段】  トイレの便器Ｂの両側に配置される転倒防止具１をエア膨張体２と上下一対の補強板３から構成し、エア膨張体２の形状を、内面側が便器Ｂの外周形状に沿った円弧状面部２ｒで、外面側がトイレ室の内壁に沿った平面部２ｓで、且つ高さが概略便器Ｂの高さ程度にするとともに、エア膨張体２の上下面に、補強板３を装着するためのポケット部５を設ける。また、エア膨張体２の内部に、円弧状面部２ｒと平面部２ｓ間の距離を規制するための吊り布１０を設ける。【選択図】      図１
2007282936.tif 000002
【特許請求の範囲】
【請求項１】
トイレ内の腰掛式便器側面とトイレ室の内壁との間に配置され、要介護者等が前記便器側面とトイレ室の内壁との間に転倒するのを防止する転倒防止具であって、この転倒防止具は、エア膨張体と補強板とからなり、該エア膨張体は、内面側が前記便器の外周形状に沿った円弧状面部で、外面側がトイレ室の内壁に沿った直線的な平面部で、且つ高さが概略便器の高さ程度のものであり、このエア膨張体の上面と下面には、補強板を装着するためのポケット部が形成され、前記補強板は、該ポケット部に装着されることを特徴とする転倒防止具。
【請求項２】
前記エア膨張体の内部には、前記円弧状面部と前記平面部との間において、水平方向の吊り布が設けられることを特徴とする請求項１に記載の転倒防止具。
【発明の詳細な説明】
【技術分野】
【０００１】
本発明は、例えば要介護者等がトイレの腰掛式便器側面とトイレ室の内壁との間に転倒するのを防止するための転倒防止具に関する。
【背景技術】
【０００２】
要介護者が腰掛式便器を使用する際、介護者の助力が必要であり、介護者から手が離れた場合などには、便器から転落して便器側面とトイレ内壁との間に入り込み、抜け出しにくくなるような不具合がある。このため、従来では、便器の左右に手摺りを設けて身体の安定を図りやすくするようにした技術（例えば、特許文献１、特許文献２参照。）や、便座の高さと同一のステージ板を使用して便器側面とトイレ内壁との間に転倒するのを防止するようにした技術（例えば、特許文献３、特許文献４参照。）や、特殊な椅子を設けて転倒を防止するようにした技術（例えば、特許文献５参照。）などが知られている。
【特許文献１】実公平８−４５２０号公報
【特許文献２】実用新案登録第３０７４１５２号公報
【特許文献３】特開２０００−２０４６３９号公報
【特許文献４】特開２０００−２０４６４０号公報
【特許文献５】特開２００６−４３３７４号公報
【発明の開示】
【発明が解決しようとする課題】
【０００３】
ところが、従来の技術はいずれも固定式のものが多く、設備費用が嵩むと同時に、一度施工してしまうと、後から追加工するのが困難であった。また、施工されていない通常の既存のトイレには適用できなかった。
更に、設備の内容によっては、介護者が介護するときに邪魔になることもあり、このような際には、設備を取り除くことができないため、不便を感じることもあった。
【０００４】
そこで本発明は、設備工事がなされていない既存の通常のトイレでも簡単に適用することができ、また必要に応じて簡単に取り除くことが可能で、しかも、腰掛式便器側面とトイレ内壁との間に転倒するのを確実に防止でき、さらに衝撃吸収効果に優れたものを提供することを目的とする。
【課題を解決するための手段】
【０００５】
上記目的を達成するため本発明は、トイレ内の腰掛式便器側面とトイレ室の内壁との間に配置し、要介護者等が腰掛式便器側面とトイレ内壁との間に転倒するのを防止できる転倒防止具を構成し、この転倒防止具は、エア膨張体と補強板からなり、該エア膨張体は、内面側が腰掛式便器の外周形状に沿った円弧状面部で、外面側がトイレ内壁に沿った直線的な平面部で、且つ高さが概略便器の高さ程度のものとし、このエア膨張体の上面と下面には、補強板を装着するためのポケット部を形成するようにした。
【０００６】
そして、エア膨張体の上面と下面のポケット部に補強板を装着し、これを腰掛式側面とトイレ内壁との間に隙間がないように配置する。すると、補強板によって上面と下面はフラットに近い状態になり、床面に安定した状態で載置できるとともに、人が倒れ込んだ場合に、エア膨張体の上面に対する人体の接触面積が広がり、衝撃吸収効果が高くなる。
また、エア膨張体の外面側をトイレ室の内壁に接触させておけば、エア膨張体を一層安定させることができる。さらに、トイレ室の腰掛式便器の両サイドの空間部（便器側面とトイレ内壁との間）の広さが若干違っていても、エアの充気度を調整することにより、その差を吸収することができる。
そして、このような転倒防止具は、極めて軽量で、簡単に他のトイレにも運び込むことができ、しかも不使用時には排気することでコンパクトに折り畳めるので取り扱いに便利である。
なお、このようなエア膨張体は、上下方向に対称形にしておけば、一種類のエア膨張体を準備しておくだけで、片方のエア膨張体をひっくり返すことにより便器の左右両側に配置できるようになって好適である。
【０００７】
また本発明では、前記エア膨張体の内部に、前記円弧状面部と前記平面部との間において、水平方向の吊り布を設けるようにした。
ここで吊り布とは、エア膨張体の内部の対向する二面間に布や帯などの伸びのない部材を掛け渡すことにより、同方向の膨らみを一定量に規制するものであり、このような吊り布を水平にだけ設けることで、エア膨張体の上面と下面の形状をよりフラットに近い形状にすることができる。これに対し、吊り布を垂直方向に設けると、エア膨張体の上面と下面の形状をフラットに保つことが難しくなり、床面に安定した状態で載置し難くなるとともに、衝撃吸収効果が下がるようになる。また、水平方向であっても、エア膨張体の前後方向（図1の折返し片７、８方向）に吊り布を設ければ、人が倒れ込んだときに、内部エアの逃げ道が、エア膨張体の上下面方向となってしまい、フラット形状が保たれない結果、エア膨張体がずれ易くなるとともに、衝撃吸収効果が下がる。
【発明の効果】
【０００８】
エア膨張体の上下面にポケット部を設け、このポケット部に補強板を装着して転倒防止具を構成することにより、手軽に持ち運びできるようになり、既存のトイレにおける転倒防止にも簡単に対応できる。また不使用時には排気することにより小さく折り畳むこともできるので取り扱いやすい。
そして、エア膨張体の内部に、円弧状面部と平面部との間において水平方向の吊り布を設けることにより、エア膨張体を安定した状態で使用することができ、しかも衝撃吸収性を高めることができる。
【発明を実施するための最良の形態】
【０００９】
本発明の実施の形態について添付した図面に基づき説明する。
ここで図１は本発明に係る転倒防止具の基本的構成を示す分解斜視図、図２はトイレ内の配置の一例を示す説明図、図３はエア膨張体のポケット部の構造を示す部分断面図、図４は吊り布の構造の説明図、図５、図６は転倒防止具を各方向から見た説明図、図７はトイレ室内の通常の腰掛式便器の説明図である。
【００１０】
本発明に係る転倒防止具１は、図7に示すような既存の通常のトイレでも簡易に設置することができ、また必要に応じて簡単に取り除くことが可能で、しかも、腰掛式便器Ｂの側面部Ｂｓと、トイレ室の内壁Ｃとの間の空間部Ｈに要介護者が転倒するのを簡単に防止することができるものであり、エア膨張体２と補強板３とから構成されることを特徴としている。
【００１１】
すなわち、図１、図２に示すように、本転倒防止具１は、エア膨張体２の内面側（便器Ｂ側）が便器Ｂの外周側面部Ｂｓ形状に沿った円弧状面部２ｒで、外面側（トイレ内壁Ｃ側）がトイレ室の内壁Ｃに沿った直線的な平面部２ｓを備えたエア膨張体２と、このエア膨張体２の上下面に装着可能な上下一対の補強板３とを備えており、前記エア膨張体２は、エア注入口３（図２）からエアの給排が自在にされている。そして、エア注入口３からエアを供給してエア膨張体２を膨らませると、図１、図２に示すような形態となり、エア注入口３からエアを抜くと、小さく折り畳むことができるようにされている。
【００１２】
このエア膨張体２は、実施例の場合、基布にウレタン樹脂をコーティングしたウレタン引き布から気密状に形成され、上下面には、それぞれポケット部５が形成されるとともに、各ポケット部５内に前記補強板３を装入できるようにされている。
【００１３】
すなわち、前記ポケット部５は、エア膨張体２の上面形状、下面形状とほぼ同一のウレタン引き布製のポケット表地６が、円弧状面部２ｒの上端部に当接する箇所と、平面部２ｓの上端部に当接する箇所とで縫着等により接合され、前面側と後面側が開放されて形成されるとともに、前面側と後面側の開放部近傍のエア膨張体２には、ポケット内に挿し込むことのできるウレタン引き布製の折返し片７、８が設けられている。そして、図３にも示すように、ポケット部５内に補強板３を装入した後、補強板３を包み込むように各折返し片７、８をポケット部５内に挿し込むことにより、補強板３をエア膨張体２の上下のポケット部５に装着するようにしている。
【００１４】
なお、各折返し片７、８を折り返してポケット部５内に挿し込んだ際、各折返し片７、８の外側面とポケット表地６の裏面同士が接触することになるが、接触する面をお互いに樹脂コーティング面にすることで、両者が滑りにくくなるようにしている。すなわち、一旦折返し片７、８をポケット部５内に挿し込むと、折り返し片７、８がポケット部５から抜け出しにくくなるようにしている。
【００１５】
前記補強板３は、エア膨張体２の下面側の接地面積を増やして安定した状態で位置決めできるようにするとともに、人が倒れ込んだ際に、上面側の広い面積で人体に接触して衝撃吸収効果を高めることができるような目的で使用されており、このため、エア膨張体２の上面と下面をなるべくフラットな形状に保てるようにしている。
そして本実施例では、５０〜１００ｋｐａ程度のエア圧がかかっても容易に撓むことのないようなショアーＤ硬度が７５〜８５の硬さで、しかもある程度重量が軽く、しかも加工しやすい素材であることを条件に、合成樹脂板である厚み２〜３ｍｍのポリプロピレン板としている。
【００１６】
ところで、エア膨張体２の内部には、水平な一方向（図１の円弧状面部２ｒと平面部２ｓを結ぶ方向）に吊り布１０を設けている。すなわち、図４に示すように、この吊り布１０は、円弧状面部２ｒの裏側と平面部２ｓの裏側間に水平に掛け渡されており、本実施例では上下二段に設けている。そして、この吊り布１０は、エア膨張体２の前後方向（図１の折返し片７、８を結ぶ方向）に亘って端から端まで全域に設けるのではなく、両端側の一部に隙間を持たせることにより、同部を通してエアが自由に流通できるようにされている。
【００１７】
そしてこのように水平一方向にだけ吊り布１０を設けることにより、上下面の形状がフラットに近い状態になるようにしている。
すなわち、エア膨張体２の内部において、垂直方向（図1のエア膨張体２の上下方向）に吊り布を設ければ、エア膨張体２の上下面の形状をフラットに近づけるのが困難となり、また、水平方向であっても、エア膨張体２の前後方向に設ければ、人が倒れ込んだ際にエアの逃げ道がエア膨張体２の上下面となってフラット形状が保てなくなる結果、エア膨張体２がずれやすくなり、また、衝撃を吸収する効果が薄まる。
【００１８】
以上のような転倒防止具１は、図５、図６にも示すように、上下方向に対して対称形であるため、図２に示すように、二個の転倒防止具１の一方側を上下逆さまにし、便器Ｂとトイレ室の内壁Ｃとの間である空間部Ｈに、それぞれの転倒防止具１を設置することにより位置決めすることができる。
そして、エア膨張体２は、便器Ｂの側面とトイレ室の内壁Ｃとによって挟まれているので、安定した状態で配置できるとともに、たとえ便器Ｂから人が転倒した場合にも、これを支えて、便器側面とトイレ内壁との間に倒れた人が入り込み、抜け出しにくくなるような不具合を防止する。さらに、転倒防止具１の上下面はフラット形状であるため、衝撃吸収効果に優れるものである。
【００１９】
また、このような転倒防止具１は、エア注入口４から排気すれば、簡単に小型化して折り畳むことができ、しかも手軽に持ち運びができるため、既存の通常のトイレにも簡易に対応することができる。
また、エア膨張体２のエアの充気量を調整することにより、トイレ室の腰掛式便器の横のスペースの広さに差があっても、その差を吸収することができる。
更に、製作費が安価であるため便利である。
【００２０】
なお、本発明は以上のような実施形態に限定されるものではない。本発明の特許請求の範囲に記載した事項と実質的に同一の構成を有し、同一の作用効果を奏するものは本発明の技術的範囲に属する。
例えば、エア膨張体２や補強板３の材質等は一例である。
【産業上の利用可能性】
【００２１】
トイレの便器から転倒するのを防止する転倒防止具として、エア膨張体を使用することにより、既存の通常のトイレでも簡易に対応することができ、しかも軽量で取り扱いやすく、且つ安価に製造できるため、特に要介護者等にとって便利である。
【図面の簡単な説明】
【００２２】
【図１】本発明に係る転倒防止具の基本的構成を示す分解斜視図
【図２】トイレ内の配置の一例を示す説明図
【図３】エア膨張体のポケット部の構造を示す部分断面図
【図４】吊り布の構造の説明図
【図５】転倒防止具の斜視図
【図６】（ａ）は図５のＡ各方向から見た正面図、（ｂ）は図５のＢ方向から見た平面図、（ｃ）は図５のＣ方向から見た右側面図、（ｄ）は図５のＤ方向から見た左側面図、（ｅ）は図５のＥ方向から見た背面図、（ｆ）は図５のＦ方向から見た底面図
【図７】トイレ室内の通常の腰掛式便器の説明図
【符号の説明】
【００２３】
１…転倒防止具、２…エア膨張体、２ｒ…円弧状面部、２ｓ…平面部、３…補強板、５…ポケット部、Ｂ…腰掛式便器。
【図１】
2007282936.tif 000003
【図２】
2007282936.tif 000004
【図３】
2007282936.tif 000005
【図４】
2007282936.tif 000006
【図５】
2007282936.tif 000007
【図６】
2007282936.tif 000008
【図７】
2007282936.tif 000009